(57)【要約】      （修正有）【課題】自転車を左右に傾斜させながら行なう走行訓練を容易に行なうことができる自転車用後輪支持装置を提供する。【解決手段】自転車の後輪の車軸の両端部を支持する一対の軸受け部材２１・２２、これらの各軸受け部材から下方に延びる一対の脚部材２３、および、これらの一対の脚部材の下端部を相互に連結する連結部材２４とからなる車軸支持機構２５と、この車軸支持機構が載置される載置台２６とからなり、この載置台の上面には、連結部材２４と係合して、この連結部材と載置台との相対移動を拘束する係止機構２７が設けられ、載置台２６の下面には、少なくとも自転車後輪の車軸を含む鉛直面内において下方に突出する曲面を有し、地面との接触部を形成する接触部材２８が設けられている。【選択図】図５
0003186475.tif 000002
【実用新案登録請求の範囲】
【請求項１】
自転車の設置面から後輪を浮かせて支持する浮上支持機構を備えた自転車用後輪支持装置であって、前記浮上支持機構は、自転車の後輪の車軸の両端部を支持する一対の軸受け部材、これらの各軸受け部材から下方に延びる一対の脚部材、および、これらの一対の脚部材の下端部を相互に連結する連結部材とからなる車軸支持機構と、この車軸支持機構が載置される載置台とからなり、この載置台の上面には、前記連結部材と係合して、この連結部材と前記載置台との相対移動を拘束する係止機構が設けられ、前記載置台の下面には、少なくとも前記車軸を含む鉛直面内において下方に突出する曲面を形成する接触部が形成されていることを特徴とする自転車用後輪支持装置。
【請求項２】
前記連結部材が、前記車軸と略平行に配置され前記一対の脚部材の下端が固着された連結ロッドと、この連結ロッドの各端部を支持するとともに前記自転車の後方へ向けて延設され、かつ、その後方端部が相互に連続させられた略Ｕ字状のベースとによって構成され、前記載置台が、前記ベースの前端部が載置される前方部材と、前記ベースの後端部が載置される後方部材と、これらの前方部材と後方部材とを連結する中間部材とによって構成されていることを特徴とする請求項１に記載の自転車用後輪支持装置。
【請求項３】
前記載置台に設けられる前記係止機構が、前記前方部材に載置される連結ロッドが挿入されて、この連結ロッドにその前後から当接させられる一対の前後位置規制部材と、前記ベースの各前端部の側方に配置された一対の支持ブロックと、これらの支持ブロックの上部に前記前方部材の上面と平行な面内で回動可能に装着され、前記ベースの前端部の上面に対向させられる位置と、前記ベースの前端面の上部を開放する位置とに選択的に位置させられる一対の上下位置規制部材とによって構成されていることを特徴とする請求項２に記載の自転車用後輪支持装置。
【請求項４】
前記車軸支持機構が、前記一対の軸受け部材のそれぞれから前方下部に向けて延設された前方脚部材と、前記一対の軸受け部材のそれぞれから後方下部に向けて延設された後方脚部材と、これらの後方脚部材の下端部を連結する連結部材とによって構成され、前記載置台が、前記前方脚部材が載置される前方部材と、前記連結部材が載置される後方部材と、これらの前方部材と後方部材とを連結する中間部材とによって構成されていることを特徴とする請求項１に記載の自転車用後輪支持装置。
【請求項５】
前記載置台に設けられる前記係止機構が、前記連結ロッドの両端面に対峙される一対の支持ブロックと、これらの支持ブロックの上部に前記後方部材の上面と平行な面内で回動可能に装着され、前記連結部材の各端部においてその上部に対向させられる位置と、前記連結部材の上部を開放する位置とに選択的に位置させられる一対の上下位置規制部材と、前記一対の支持ブロック間に配設され、前記連結部材に前後から当接させられる一対の前後位置規制部材とによって構成されていることを特徴とする請求項４に記載の自転車用後輪支持装置。
【考案の詳細な説明】
【技術分野】
【０００１】
本考案は、例えば、自転車乗り技術の習得中の人が、立ち漕ぎ練習等ができるようにするために、自転車と共に左右に傾けることが可能な、自転車の後輪支持装置に関するものである。
【背景技術】
【０００２】
自転車用の後輪支持装置として、自転車の後輪の車軸の左右端に取り付けられる軸受け部材と、これらの軸受け部材を支持する支持部材によって支持することにより、前記後輪を浮かせた状態で固定的に支持する浮上支持機構を備え、前記支持部材を床面に設置することにより、前述したように、前記後輪を浮かせた状態で、かつ、車体転倒を防止しつつ前記自転車の後輪を支持するようにしたものが知られている。
【０００３】
この後輪支持装置は、支持された自転車は左右に傾斜させることができず、例えば左右に自転車を傾斜させながらペダルを漕ぐダンシング走行練習等ができなかった。
このような問題は、例えば筋力トレーニングや並行間隔トレーニング等を行う場合にも同様であった。
【０００４】
特許文献１は、自転車等の二輪車の運転方法を訓練させると同時にバランス感覚を養成し健康を増進させるバランス訓練器に関するもので、二輪車の前輪を保持する前輪保持部と、その前輪保持部の一端を回動自在に支持する回動支持部と、その回動支持部を固定する脚部と、を有する技術が記載されている。
【０００５】
特許文献２には、使用者が、その筋力を高めるべく負荷が付与された操作部材を繰り返し動かすトレーニング装置の操作部材に発電機を接続し、更にこの発電機に蓄電装置を接続し、操作部材に付与される負荷を前記発電機の発電時に生じる負荷により生じさせ、使用者の運動により生じるエネルギーを電力として蓄えるようにした技術が記載されている。
【０００６】
特許文献３には、使用者が着座するサドル部と、使用者が漕ぐ一対のペダルと、サドル部及びペダルを装着した支持部とを備え、支持部の下端にある設置台における設置面に接する下面が球面状であって、サドル部に着座した使用者の重心移動で設置面に対して設置台及び支持部が前後左右に傾倒自在である一輪車型のトレーニング器の技術が記載されている。
【先行技術文献】
【特許文献】
【０００７】
【特許文献１】特許第２８９８２０７号公報
【特許文献２】特開２０００−３７４７６号公報
【特許文献３】特開２００２−１１３１２８号公報
【考案の概要】
【考案が解決しようとする課題】
【０００８】
しかしながら、これらの特許文献１〜３の何れにも、自転車の立ち漕ぎトレーニング用ローラー台で、自転車の後輪の車軸を支持する機能と、左右に傾斜及び復元可能な機能と、を備える技術思想については記載されていない。
【０００９】
なお、特許文献３には、一輪車の設置台の下面を僅かに斜面にする考え方が記載されているが、ここでは設置台に一体に固定する一輪車の技術が記載されているのみで、例えば、通常使用できる自転車の後輪の車軸を支持する機能と、左右に傾斜及び復元可能な機能とを備えた二輪車用ローラー台の技術は記載されていない。
【００１０】
よって、本考案は、自転車の後輪の車軸を支持する機能と、左右に傾斜及び復元可能な機能とを備えることで、自転車の立ち漕ぎトレーニング等を容易に行うことができる自転車用後輪支持装置を提供することを課題とする。
【課題を解決するための手段】
【００１１】
前述した課題を解決するために、本考案は、自転車の設置面から後輪を浮かせて支持する浮上支持機構を備えた自転車用後輪支持装置であって、前記浮上支持機構は、自転車の後輪の車軸の両端部を支持する一対の軸受け部材、これらの各軸受け部材から下方に延びる一対の脚部材、および、これらの一対の脚部材の下端部を相互に連結する連結部材とからなる車軸支持機構と、この車軸支持機構が載置される載置台とからなり、この載置台の上面には、前記連結部材と係合して、この連結部材と前記載置台との相対移動を拘束する係止機構が設けられ、前記載置台の下面には、少なくとも前記車軸を含む鉛直面内において下方に突出する曲面を形成する接触部が形成されていることを特徴とする。
【００１２】
このように構成された本考案の自転車用後輪支持装置は、前記浮上支持機構の軸受け部材間に自転車の後輪の車軸を固定し、この浮上支持機構を載置台に載置するとともに、この浮上支持機構を係止機構によって前記載置台に固定することにより使用状態となされる。
【００１３】
この使用状態において、前記自転車はその後輪を浮上させた状態で保持され、使用者は、自転車に搭乗してペダル操作を行なうことにより、自転車を静止させた状態で走行訓練を行なうことができる。
【００１４】
そして、前記載置台の下面には、少なくとも前記車軸を含む鉛直面内において下方に突出する曲面を形成する接触部が形成されていることから、前記載置台が前記自転車の左右方向に傾動可能となされている。
【００１５】
そして、前記自転車の後輪を浮かせた状態で支持する車軸支持機構が、前記載置台に係止機構を介して固定されていることから、前記自転車も同様に、前記接触部の曲面によって左右に傾斜可能となされており、これによって、使用者は、自転車を左右に傾斜させながらの走行訓練を行なうことができる。
【００１６】
一方、自転車を傾動させることなく、直立の状態での通常の走行訓練が必要な場合には、前記係止機構による前記車軸支持機構の係止を解除して、この車軸支持機構から載置台を取り外し、この車軸支持機構を床面に直に置くことによって対処することができる。
【００１７】
したがって、自転車を左右に傾斜させながらの走行訓練と、自転車を直立状態に保持したままでの通常の走行訓練との切り替えを容易に行なうことができる。
【００１８】
そして、前記連結部材は、前記車軸と略平行に配置され前記一対の脚部材の下端が固着された連結ロッドと、この連結ロッドの各端部を支持するとともに前記自転車の後方へ向けて延設され、かつ、その後方端部が相互に連続させられた略Ｕ字状のベースとによって構成され、前記載置台が、前記ベースの前端部が載置される前方部材と、前記ベースの後端部が載置される後方部材と、これらの前方部材と後方部材とを連結する中間部材とによって構成される。
【００１９】
このような構成とすることにより、たとえば、前記連結ロッドを前記ベースに対して回動可能な構造とし、これによって、前記連結ロッドに連結される脚部材を前記ベースに対して揺動可能にすることにより、前記脚部材に固定される軸受け部材を、前記連結ロッド回りに移動可能な構成とすることができる。
【００２０】
これによって、前記軸受け部材によって支持される自転車の後輪が上下に移動可能に支持されることとなり、前記後輪の回転に抵抗を与える抵抗付加機構を設ける際に、この抵抗付加機構と前記後輪との接触圧を、前記自転車の自重や使用者の体重によって生じさせて、後輪に適切な抵抗力を与えことができる。
【００２１】
また、前記載置台を、前記連結部材を支持する前方部材と後方部材、および、これらの両部材を連結する中間部材とによって構成することにより、この載置台を、前記連結部材の支持に必要な最小限の部材に集約することができ、装置の軽量化と低コスト化を図ることができる。
【００２２】
そして、前記載置台に設けられる前記係止機構は、前記前方部材に載置される連結ロッドが挿入されて、この連結ロッドにその前後から当接させられる一対の前後位置規制部材と、前記ベースの各前端部の側方に配置された一対の支持ブロックと、これらの支持ブロックの上部に前記前方部材の上面と平行な面内で回動可能に装着され、前記ベースの前端部の上面に対向させられる位置と、前記ベースの前端面の上部を開放する位置とに選択的に位置させられる一対の上下位置規制部材とによって構成することができる。
【００２３】
このような構成とすることにより、前記前後位置規制部材によって前記連結ロッドの前後方向の動きを拘束し、前記支持ブロックによってベースの左右方向の動きを拘束し、さらに、前記上下位置規制部材によって前記ベースの上下方向の動きを拘束することができ、この結果、前記連結部材と前記載置台との相対移動を３次元方向において拘束して、前記載置台を自転車の後輪に確実に固定することができる。
【００２４】
また、前記上下位置規制部材を回動させて、前記ベースの前端部上方を開放することにより、前記連結部材の上下方向の動きを自由にして、この連結部材すなわち車軸支持機構の前記載置台からの取り外しを容易に行なうことができる。
【００２５】
したがって、前記車軸支持機構を床面に直に置いた状態で自転車を直立状態に保持する形態と、前記載置台を介して支持した傾動可能な形態との切り替えを簡便かつ円滑に行なうことができる。
【００２６】
また、前記車軸支持機構を、前記一対の軸受け部材のそれぞれから前方下部に向けて延設された前方脚部材と、前記一対の軸受け部材のそれぞれから後方下部に向けて延設された後方脚部材と、これらの後方脚部材の下端部を連結する連結部材とによって構成し、前記載置台を、前記前方脚部材が載置される前方部材と、前記連結部材が載置される後方部材と、これらの前方部材と後方部材とを連結する中間部材とによって構成することもできる。
【００２７】
これに合わせて、前記載置台に設けられる前記係止機構を、前記連結ロッドの両端面に対峙される一対の支持ブロックと、これらの支持ブロックの上部に前記後方部材の上面と平行な面内で回動可能に装着され、前記連結部材の各端部においてその上部に対向させられる位置と、前記連結部材の上部を開放する位置とに選択的に位置させられる一対の上下位置規制部材と、前記一対の支持ブロック間に配設され、前記連結部材に前後から当接させられる一対の前後位置規制部材とによって構成するようにすることもできる。
【００２８】
このような構成とすることにより、前述した作用効果を同様に奏することができる。
【考案の効果】
【００２９】
本考案によれば、自転車の使用者の走行訓練において、自転車を左右に傾斜謝させながら行なう走行訓練を容易に行なうことができる自転車用後輪支持装置を提供することができる。
【図面の簡単な説明】
【００３０】
【図１】本考案の一実施形態を構成する車軸支持機構が装着された自転車を示す外観斜視図である。
【図２】本考案の一実施形態を示す外観斜視図である。
【図３】本考案の一実施形態の車軸支持機構の外観斜視図である。
【図４】本考案の一実施形態の載置台を示す外観斜視図である。
【図５】本考案の一実施形態を示す外観斜視図である。
【図６】本考案の他の実施形態の車軸支持機構を示す外観斜視図である。
【図７】本考案の他の実施形態の載置台を示す外観斜視図である。
【図８】本考案の他の実施形態を示すもので、装着手順の概略を示す外観斜視図である。
【図９】本考案の他の実施形態の浮上支持機構を示す外観斜視図である。
【考案を実施するための形態】
【００３１】
以下、本考案の一実施形態を図１ないし図５を参照して説明する。
図１において符号１は自転車を示し、この自転車１は、前輪２と、この前輪を支持するフロントフォーク３と、このフロントフォーク３の上部に取り付けられたハンドル４と、このハンドル４を回動可能に支持するメインフレーム５と、このメインフレーム５の略中央部上方に取り付けられたサドル６と、前記メインフレーム５の略中央部で、前記サドル６の下方に回転自在に取り付けられたドライブギア７と、このドライブギア７の回転軸に取り付けられたペダル８と、前記メインフレーム５に、その後方へ向けて延設されたリアフォーク９と、このリアフォーク９に車軸１０を介して回転自在に装着された後輪１１と、前記車軸１０に装着されたドリブンギア１２と、このドリブンギア１２と前記ドライブギア７との間に架け渡されたチェーン等の動力伝達帯１３とを備えている。
【００３２】
また、符号２０は、本実施形態を構成する浮上支持機構を示し、この浮上支持機構２０は、前記自転車１の後輪１１を浮かせて支持するもので、この浮上支持機構２０は、前記自転車１の後輪１１の車軸１０の両端部を支持する一対の軸受け部材２１・２２（図３参照）、これらの各軸受け部材２１・２２から下方に延びる一対の脚部材２３、および、これらの一対の脚部材２３の下端部を相互に連結する連結部材２４とからなる車軸支持機構２５と、この車軸支持機構２５が載置される載置台２６とからなり、この載置台２６の上面には、前記連結部材２４と係合して、この連結部材２４と前記載置台２６との相対移動を拘束する係止機構２７が設けられ、前記載置台２６の下面には、少なくとも前記車軸１０を含む鉛直面内において下方に突出する曲面を形成する接触部を形成する接触部材２８が設けられており、前記浮上支持機構２０と前記載置台２６とによって、本実施形態に係わる自転車用後輪支持装置Ａが構成されている。
【００３３】
本実施形態においては、前記連結部材２４は、前記車軸１０と略平行に配置され前記一対の脚部材２３の下端が固着された連結ロッド２９と、この連結ロッド２９の各端部を支持するとともに前記自転車１の後方へ向けて延設され、かつ、その後方端部が相互に連続させられた略Ｕ字状のベース３０とによって構成され、前記載置台２６が、前記ベース３０の前端部が載置される前方部材３１（図４参照）と、前記ベース３０の後端部が載置される後方部材３２と、これらの前方部材３１と後方部材３２とを連結する中間部材３３とによって構成され、これらの前方部材３１、および、後方部材３２の下面に、前記接触部材２８が一体に取り付けられている。
【００３４】
さらに詳述すれば、前記一対の軸受け部材２１・２２は、一定間隔をおき、かつ、同軸状に配置されており、前記一方の軸受け部材２１には、他方の軸受け部材２２との間隔を調整することにより、前記車軸１０の着脱を行なうとともにその固定をなすロックレバー３４が設けられている。
【００３５】
また、前記ベース３０の後端上部には、前記後輪１１が接触させられるとともに、その回転に対して抵抗を負荷する抵抗負荷装置３５が設けられている。
【００３６】
さらに、本実施形態においては、前記連結ロッド２９が、前記ベース３０に対して軸線回りに回動可能に装着されており、これによって、前記両脚部材２３を介して取り付けられた前記両軸受け部材２１・２２が、前記抵抗負荷装置３５に対して接近離間可能な構成となされている。
【００３７】
前記係止機構２７は、本実施形態においては、図４および図５に示すように、前記前方部材３１に載置される連結ロッド２９が挿入されて、この連結ロッド２９にその前後から当接させられる一対の前後位置規制部材３６と、前記ベース３０の各前端部の側方に配置された一対の支持ブロック３７と、これらの支持ブロック３７の上部に前記前方部材３１の上面と平行な面内で回動可能に装着され、前記ベース３０の前端部の上面に対向させられる位置と、前記ベース３０の前端面の上部を開放する位置とに選択的に位置させられる一対の上下位置規制部材３８とによって構成されている。
【００３８】
このように構成された本実施形態の自転車用後輪支持装置Ａは、前記車軸支持機構２５の軸受け部材２１・２２間に自転車１の後輪１１の車軸１０を固定し、この車軸支持機構２５を前記載置台２６に載置するとともに、この車軸支持機構２５を係止機構２７によって前記載置台２６に固定することにより使用状態となされる。
【００３９】
すなわち、前記連結ロッド２９を前記前後位置規制部材３６間に挿入するとともに、前記上下位置規制部材３８を所定方向に回動させて、前記両支持ブロック３７間を開放しておくことにより、これらの支持ブロック３７間に前記ベース３０の両先端部を位置させ、かつ、このベース３０の後端を前記後方部材３２上に載置し、ついで、前記上下位置規制部材３８を回動させて前記ベース３０の両先端部の上部に対峙させる。
【００４０】
これによって、前記連結ロッド２９およびベース３０、すなわち、車軸支持機構２５が、前記載置台２６に、３次元方向の移動が拘束された状態で固定され、前記自転車１の後輪１１が前記浮上支持機構２０によって支持される。
【００４１】
この使用状態において、前記自転車１はその後輪１１を浮上させた状態で保持され、使用者は、自転車に搭乗してペダル操作を行なうことにより、自転車を静止させた状態で走行訓練を行なうことができる。
【００４２】
ここで、前記連結ロッド２９が前記ベース３０に対して回動可能となされていることから、自転車１の自重や使用者の体重によって、前記両軸受け部材２１・２２が、前記両脚部材２３とともに、前記ベース３０に設けられている抵抗負荷装置３５へ向けて移動させられ、この結果、前記両軸受け部材２１・２２に支持されている前記後輪１１が前記抵抗負荷装置３５へ圧接させられる。
【００４３】
このような圧接力によって、前記抵抗負荷装置３５と前記後輪１１との間に適切な摩擦が確保され、この結果、前記抵抗負荷装置３５において設定されている抵抗が前記後輪１１を介して使用者へ負荷される。
【００４４】
そして、前記載置台２６の下面には、少なくとも前記車軸を含む鉛直面内において下方に突出する曲面を形成する接触部材２８が設けられていることから、前記載置台２６が前記自転車１の左右方向に傾動可能となされており、これによって、使用者は、自転車１を左右に傾斜させながらの走行訓練を行なうことができる。
【００４５】
一方、自転車１を傾動させることなく、直立の状態での通常の走行訓練が必要な場合には、前記係止機構２７による前記車軸支持機構２５の係止を解除して、この車軸支持機構２５から載置台２６を取り外し、前記車軸支持機構２５を床面に直に置くことによって対処することができる。
【００４６】
したがって、自転車を左右に傾斜させながらの走行訓練と、自転車を直立状態に保持したままでの通常の走行訓練との切り替えを容易に行なうことができる。
【００４７】
また、前記載置台２６を、前記連結部材２４を支持する前方部材３１と後方部材３２、および、これらの両部材を連結する中間部材３３とによって構成することにより、この載置台２６を、前記連結部材２４の支持に必要な最小限の部材に集約することができ、装置の軽量化と低コスト化を図ることができる。
【００４８】
なお、前記実施形態において示した各構成部材の諸形状や寸法等は一例であって設計要求等に基づき種々変更可能である。
【００４９】
たとえば、前記車軸支持機構２５を、図６に示すように、前記一対の軸受け部材２１・２２のそれぞれから前方下部に向けて延設された前方脚部材３９と、前記一対の軸受け部材２１・２２のそれぞれから後方下部に向けて延設された後方脚部材４０と、これらの後方脚部材４０の下端部を連結する連結部材４１とによって構成することもできる。
【００５０】
これに合わせて、前記載置台２６に設けられる前記係止機構４２を、図７に示すように、前記連結部材４１の両端面に対峙される一対の支持ブロック４３と、これらの支持ブロック４３の上部に前記後方部材４０の上面と平行な面内で回動可能に装着され、前記連結部材４１の各端部においてその上部に対向させられる位置と、前記連結部材４１の上部を開放する位置とに選択的に位置させられる一対の上下位置規制部材４４と、前記一対の支持ブロック４３間に配設され、前記連結部材に前後から当接させられる一対の前後位置規制部材４５とによって構成するようにすることもできる。
【００５１】
このような車軸支持機構２５と載置台２６との固定は、図８に示すように、前記上下位置規制部材４４を回動させて、前記支持ブロック４３間を開放しておき、この支持ブロック４３間に前記連結部材４１を挿入して、前記前後位置規制部材４５間に位置させた後に、前記上下位置規制部材４４を再度回動させて、これらの上下位置規制部材４４を前記連結部材４１の両端上方に位置させることにより行なうことができる（図９参照）。
【００５２】
また、逆の操作によって、前記車軸支持機構２５と載置台との切り離しを行なうことができる。
【符号の説明】
【００５３】
１  自転車
２  前輪
３  フロントフォーク
４  ハンドル
５  メインフレーム
６  サドル
７  ドライブギア
８  ペダル
９  リアフォーク
１０  車軸
１１  後輪
１２  ドリブンギア
１３  動力伝達帯
２０  浮上支持機構
２１  軸受け部材
２２  軸受け部材
２３  脚部材
２４  連結部材
２５  車軸支持機構
２６  載置台
２７  係止機構
２８  接触部材
２９  連結ロッド
３０  ベース
３１  前方部材
３２  後方部材
３３  中間部材
３４  ロックレバー
３５  抵抗負荷装置
３６  前後位置規制部材
３７  支持ブロック
３８  上下位置規制部材
３９  前方脚部材
４０  後方脚部材
４１  連結部材
４２  係止機構
４３  支持ブロック
４４  上下位置規制部材
４５  前後位置規制部材
Ａ自転車用後輪支持装置
【図１】
0003186475.tif 000003
【図２】
0003186475.tif 000004
【図３】
0003186475.tif 000005
【図４】
0003186475.tif 000006
【図５】
0003186475.tif 000007
【図６】
0003186475.tif 000008
【図７】
0003186475.tif 000009
【図８】
0003186475.tif 000010
【図９】
0003186475.tif 000011